(57)【要約】【課題】  気管挿管器具に固定して使用する仕様を前提として、喉頭内を高解像度で観察できると同時にコードレス化より操作性を向上させ、前記気管挿管器具からの脱着仕様により共通化をはかり、さらに清潔度の向上を課題としている。【解決手段】  多種気管挿管器具に対して装着して撮影する気管挿管用小型カメラ無線システム、特に１つの細長い小型カメラ無線システムに小型レンズ、小型光源、小型撮像素子、小型カメラコントロール、小型トランスミッター、小型バッテリー、電源スイッチをコンパクトに構成し、コードレス仕様及び脱着仕様により操作性、共通化及び清潔度の向上を特徴とした気管挿管用小型カメラ無線システム。【選択図】    図１
0003108837.tif 000002
【実用新案登録請求の範囲】
【請求項１】
喉頭内を観察する気管挿管器具に対して前記気管挿管器具先端部に小型レンズ及び小型光源を有し、前記小型光源で照射した喉頭内の映像を直接前記小型レンズ及び小型撮像素子でとらえるよう前記小型レンズの像面に前記小型撮像素子を設置し、前記小型撮像素子で前記喉頭内の映像を光電変換し、出力された映像信号を小型カメラコントロールユニットに電送して前記映像信号を増幅し、小型トランスミッターにより前記映像信号を電波に変換してレシーバーに無線で出力してＴＶモニターに前記映像信号を表示するシステムを１つの細長い小型カメラユニットシステムとして構成することを特徴とした気管挿管用小型カメラ無線システム。
【請求項２】
前記小型光源、前記小型撮像素子、前記小型カメラコントロールユニット、前記小型トランスミッターの電源を確保するために前記小型カメラ無線システム内の後方部に小型バッテリーを内蔵する構成によりコードレス仕様を可能とし、操作性の向上を特徴とした請求項１に記載の気管挿管用小型カメラ無線システム。
【請求項３】
前記小型レンズ、前記小型光源、前記小型撮像素子の構成部分を前記小型カメラ無線システムの先端部、１本の柔軟且つ細長い小型撮影ユニット部とし、前記小型カメラコントロールユニット、前記小型トランスミッター、前記小型バッテリー、電源スイッチの構成部分を前記小型カメラ無線システムの後方部、グリップ部とした一体型の前記小型カメラ無線システムとし、防水性をもたせて、前記気管挿管器具より脱着することを特徴とした請求項１、請求項２に記載の気管挿管用小型カメラ無線システム。
【請求項４】
前記小型カメラ無線システムを前記気管挿管器具に取り付けて喉頭内を観察する以前に、前記小型カメラ無線システム先端部にある前記１本の柔軟且つ細長い小型撮影ユニット部に対して、１本の細長く柔軟で且つ透明体の保護チューブをかぶせて前記気管挿管器具に装着して喉頭内を観察し、また観察後は前記保護チューブをはずして使い捨て仕様にすることを特徴とした請求項１、請求項２、請求項３に記載の気管挿管用小型カメラ無線システム。
【請求項５】
前記小型カメラ無線システムの防水チューブ内に形状を適度に変えられ且つ色々な形に保つことができる細い金属又はプラステック製の棒を内蔵することを特徴とした請求項１、請求項２、請求項３、請求項４に記載の気管挿管用小型カメラ無線システム。
【考案の詳細な説明】
【技術分野】
【０００１】  本考案は、喉頭内を観察する気管挿管器具に対して、前記気管挿管器具に装着して撮影する気管挿管用小型カメラ無線システム、特に１つの細長い小型カメラ無線システム小型に小型レンズ、小型光源、小型撮像素子、小型カメラコントロール、小型トランスミッター、小型バッテリー、電源スイッチをコンパクトに構成し、コードレス仕様及び脱着仕様により操作性、共通化及び清潔度の向上を特徴とした気管挿管用小型カメラ無線システムに関するものである。
【背景技術】
【０００２】  従来の気管挿管器具は人や動物の喉頭内観察により疾患治療、また自発呼吸できない状態の人や動物の気道確保するために、気管内チューブの挿管の際などに用いられている。また医師の経験や勘により気管内に気管チューブを挿管するため、気管チューブが挿管時に正確に入れられず喉や気管及び声帯を傷つけるトラブルが多かった。【０００３】  そのため最近では、気管チューブの挿管時に気管挿管用カメラシステムを使い、その構成としてはライトガイドとなる光ファイバー束とレンズ、撮像素子を用いて喉頭内の観察映像を電送してカメラコントロールより映像信号をカメラケーブルによりＴＶモニターへ出力し前記映像を映し出すことができる。（特開２０００−１７５８６７号公報参照）
【考案の開示】
【考案が解決しようとする課題】
【０００４】  しかしながら以上に述べた従来の気管挿管用カメラシステムは、喉頭内を照明するために光ファイバーからなるライトガイドと共に画像を撮影する撮像素子と一体型に形成する為、剛性が増しフレキシブル性が悪くなり、応用がきかないために高価で使いにくいシステムであった。【０００５】  また前記撮像素子でとらえた観察映像を電送してカメラコントロールより映像信号をカメラケーブル仕様でＴＶモニターへ出力している為、前記気管挿管用カメラシステムがバッテリー仕様であったとしても前記気管挿管用カメラシステム使用時に前記カメラケーブル使用のため、操作時に邪魔になり操作性を悪くするという問題があった。【０００６】  さらに気管挿管器具に対して、レンズ、照明部、撮像素子、コントロールユニット、バッテリー、電源スイッチ、すべてのカメラシステム部を内蔵し、一体型仕様にしているためにカメラシステム部の脱着ができずに人や動物の個々の喉頭部にあわせた気管挿管用カメラシステムがそれぞれ必要となり前記カメラシステム部の共通化が図れず、また衛生面に対しても滅菌に時間や手間がかかり、且つ清潔度の向上がはかれない問題があった。【０００７】  そこで本考案は、従来のこのような問題を解消するためになされたもので、その目的とするところは、喉頭内を高解像度で観察できると同時に、コードレス化より操作性を向上させ、気管挿管器具からの脱着仕様により小型カメラ無線システム部の共通化をはかり、さらに清潔度の向上を可能とした気管挿管用小型カメラ無線システムを提供することである。
【課題を解決するための手段】
【０００８】  前記目的を達成するために、本考案に係る気管挿管用小型カメラ無線システムは次のように構成したものである。【０００９】  即ち、本考案の請求項１に記載の考案は、喉頭内を観察する気管挿管器具に対して前記気管挿管器具先端部に小型レンズ及び小型光源を有し、小型光源で照射した前記喉頭内の映像を直接前記小型レンズ及び小型撮像素子でとらえるよう前記小型レンズの像面に前記小型撮像素子を設置し、前記小型撮像素子で前記喉頭内の映像を光電変換し、出力された映像信号を小型カメラコントロールユニットに電送して前記映像信号を増幅し、小型トランスミッターにより前記映像信号を電波に変換してレシーバーに無線で出力してＴＶモニターに前記映像信号を表示するシステムを１つの細長い小型カメラユニットシステムとして構成することを特徴とした気管挿管用小型カメラ無線システムである。【００１０】  本考案の請求項２記載の考案は、前記請求項１記載の考案において、前記小型光源、前記小型撮像素子、前記小型カメラコントロールユニット、前記小型トランスミッターの電源を確保するために前記小型カメラ無線システム内の後方部に小型バッテリーを内蔵する構成によりコードレス仕様を可能とし、操作性の向上を特徴とするものである。【００１１】  本考案の請求項３記載の考案は、前記請求項１、２記載の考案において、前記小型レンズ、前記小型光源、前記小型撮像素子の構成部分を前記小型カメラ無線システムの先端部、１本の柔軟且つ細長い小型撮影ユニット部とし、前記小型カメラコントロールユニット、前記小型トランスミッター、前記小型バッテリー、電源スイッチの構成部分を前記小型カメラ無線システムの後方部、グリップ部とした一体型の前記小型カメラ無線システムとし、防水性をもたせて、前記気管挿管器具より脱着することを特徴とするものである。【００１２】  本考案の請求項４記載の考案は、前記請求項１、２、３記載の考案において、前記小型カメラ無線システムを前記気管挿管器具に取り付けて喉頭内を観察する以前に、前記小型カメラ無線システムの先端部にある前記１本の柔軟且つ細長い小型撮影ユニット部に対して、１本の細長く柔軟で且つ透明体の保護チューブをかぶせて前記気管挿管器具に装着して喉頭内を観察し、また観察後は前記透明体の保護チューブをはずして使い捨て仕様にすることを特徴とするものである。【００１３】  本考案の請求項５記載の考案は、前記請求項１、２、３、４記載の考案において、前記小型カメラ無線システムの防水チューブ内に形状を適度に変えられ且つ色々な形に保つことができる細い金属又はプラステック製の棒を内蔵することを特徴とするものである。
【考案の効果】
【００１４】  従って、本考案の請求項１記載の考案では、小型レンズ、小型光源、小型撮像素子、小型カメラコントロールユニット、小型トランスミッターを一体型とした細長い小型カメラ無線システムとして構成することにより気管挿管器具先端部に取り付けられ、且つレシーバーに無線で伝送された映像をＴＶモニターで確認しながら作業をおこなう為、医師の個人差なくだれでも喉頭内観察による疾患治療や気管内チューブの挿管を正確且つ簡単に可能となる。【００１５】  本考案の請求項２記載の考案では、請求項１記載の考案において、前記小型カメラ無線システム内の後方部に小型バッテリーを内蔵する構成によりコードレス仕様を可能とし、操作性の向上が可能になる。【００１６】  本考案の請求項３記載の考案では、請求項１、２記載の考案において、前記小型カメラ無線システムに防水性をもたせて、前記気管挿管器具より脱着を可能とすることで前記気管挿管器具に対する前記小型カメラ無線システム部の共通化が可能になる。【００１７】  本考案の請求項４記載の考案では、請求項１、２、３記載の考案において、前記小型カメラ無線システムの先端部にある前記１本の柔軟且つ細長い小型撮影ユニット部に対して、１本の細長く柔軟で且つ透明体の保護チューブをかぶせて前記気管挿管器具に装着して喉頭内を観察し、また観察後は滅菌作業をせずに前記保護チューブをはずして使い捨て仕様が可能になる。【００１８】  本考案の請求項５記載の考案では、請求項１、２、３、４記載の考案において、前記小型カメラ無線システムの防水チューブ内に形状を適度に変えられ且つ色々な形に保つことができる細い金属又はプラステック製の棒を内蔵することで、緊急時に気管内チューブと組み合わせて使用するスタイレットの代用として可能になる。
【考案を実施するための最良の形態】
【００１９】  以下、本考案に係る気管挿管用小型カメラ無線システムによる実施の形態を図１、図２、図３、図４に基づいて詳細に説明する。
【実施例】
【００２０】  図１は本考案の一実施例を適用した喉頭鏡に設置した気管挿管用小型カメラ無線システムの概要を模式的に示す構成説明図である。図２は本考案の一実施例を適用した気管挿管用小型カメラ無線システムの使用方法として喉頭鏡を使用した概要を模式的に示す説明図である。図３は本考案の一実施例を適用した気管挿管用小型カメラ無線システムの使用方法としてエアウェイ（鼻咽頭エアウェイ・口咽頭エアウェイ）を使用した概要を模式的に示す説明図である。図４は本考案の一実施例を適用した気管挿管用小型カメラ無線システムの使用方法として気管挿管時に気管内チューブと組み合わせて使用した概要を模式的に示す説明図である。【００２１】  即ち、図１に示す実施例、喉頭鏡に設置した気管挿管用小型カメラ無線システムの構成において、喉頭鏡１０の最先端部にある舌圧子１１の後方に小型カメラ無線システム１４の先端部小型撮影ユニット部１２が設置され、その前記小型撮影ユニット部１２は軽量で細長く、柔軟性に富み且つ防水性に富む仕様で防水チューブ２２に覆われた形状仕様である。【００２２】  また小型カメラ無線システム１４の先端部前記小型撮影ユニット部１２及び後方部グリップ部１３内にはコントロール出力部１３ａで構成され、喉頭鏡１０に対して脱着仕様とする。【００２３】  前記小型撮影ユニット部１２には喉頭内を観察する小型広角レンズ１５とその観察映像２８を撮像する小型撮像素子（ＣＣＤカメラ）１７とその撮像領域を白色照明２７する白色ＬＥＤ（光源）１６を備えている。【００２４】  喉頭鏡１０の後方部、グリップ部１３内のコントロール出力部１３ａには、前記小型撮像素子（ＣＣＤカメラ）１７をコントロールする小型カメラコントロールユニット１８及び映像信号２９を電波信号３０に変える小型トランスミッター１９で構成され、また前記小型撮像素子（ＣＣＤカメラ）１７、前記白色ＬＥＤ（光源）１６、前記小型カメラコントロールユニット１８、前記小型トランスミッター１９に電源を供給する電源ケーブルライン２０ａ、小型バッテリー２０、及び電源ＯＮ、ＯＦＦ可能な電源スイッチ２１で構成されている。【００２５】  前記小型バッテリー２０は、充電式または電池どちらでもかまわない。【００２６】  前記喉頭内の観察でとらえた前記観察映像２８を撮像する小型撮像素子（ＣＣＤカメラ）１７で光電変換し、映像信号２９となり電気信号線Ａ３１により小型カメラコントロールユニット１８に電送される。【００２７】  前記小型カメラコントロールユニット１８に電送された前記映像信号２９は、前記小型カメラコントロールユニット１８内で増幅して電気信号線Ｂ３２により前記映像信号２９が小型トランスミッター１９へ電送される。【００２８】  前記小型トランスミッター１９に電送された前記映像信号２９は、前記小型トランスミッター１９により前記映像信号２９を電波信号３０に変えて小型レシーバー２４へ転送される。【００２９】  前記小型レシーバー２４へ転送された前記電波信号３０は前記小型レシーバー２４内で前記映像信号２９に変換して電気信号線Ｃ３３によりＴＶモニター２５に電送され、喉頭内の観察でとらえた前記観察映像２８がＴＶモニター２５のＴＶモニター表示画面２６に表���される。【００３０】  気管挿管で使用された小型カメラ無線システム１４が脱着仕様のため気管挿管器具と別々に滅菌を可能としさらに前記小型カメラ無線システム１４の外形、防水チューブ２２に透明体の保護チューブ２３をかぶせて使用し、前記透明体の保護チューブ２３を使い捨て仕様にすることで滅菌せずに使用することも可能となる。【００３１】  即ち、図２に示す実施例としては、喉頭鏡１０に装着して使用した小型カメラ無線システム１４の電源スイッチ２１をオンした状態で舌圧子１１を人の口腔内から喉頭内３８へ挿入し、前記舌圧子１１の先端部で人の舌３７を下方へ押さえながら小型撮影ユニット部１２により前記喉頭内３８を観察する。【００３２】  即ち、図３に示す実施例、小型カメラ無線システム１４の使用方法の構成において、今回の図２の実施例としては、喉頭鏡１０を使用した小型カメラ無線システム１４として説明をしているが、前記小型カメラ無線システム１４は１つの細長い形状及び脱着仕様のためエアウェイ（鼻咽頭エアウェイ・口咽頭エアウェイ）３５に装着して小型撮影ユニット部１２により喉頭内３８を観察することも可能である。【００３３】  即ち、図４に示す実施例、さらに小型カメラ無線システム１４の防水チューブ２２内に形状を適度に変えられる細い金属棒（又はプラステック製）３４を内蔵することにより緊急の気管挿管時に気管内チューブ３６と組み合わせて使用するスタイレットの代用として使用可能である。【００３４】  従って本実施例装置の構成では、先に述べた従来例の場合と比較して次のようなそれぞれの効果が得られる。即ち、
（１）目視による喉頭内観察により疾患治療や気管内チューブの挿管とは異なり、喉頭内の鮮明な画像をＴＶモニターに映し出す為、疾患治療時の画像記録や気管チューブの挿管が医師の個人差なく正確に入れられること。
（２）今回の装置で、照明に直接白色ＬＥＤを使用しているために大変明るく、小型カメラ無線システムの先端部が１本の柔軟且つ細長い外形仕様が可能であること。
（３）小型カメラ無線システム内部に小型トランスミッター、小型バッテリーが組み込まれていることでコードレス化を可能とし、操作性が向上したこと。
（４）小型カメラ無線システムに防水性をもたせて独立した装置として気管挿管器具より脱着可能とし、多種気管挿管器具に対して共通性を持たせたこと。
（５）気管挿管時、装置先端部に透明体の保護チューブをかぶせて、使用後保護チューブをはずして使い捨て仕様にすることで滅菌せず使用することが可能なこと。
（６）喉頭鏡以外にもエアウェイ（鼻咽頭エアウェイ・口咽頭エアウェイ）やスタイレットの代用に使用可能なこと。
【図面の簡単な説明】
【００３５】
【図１】  本考案の一実施例を適用した喉頭鏡に設置した気管挿管用小型カメラ無線システムの概要を模式的に示す構成説明図である。
【図２】  本考案の一実施例を適用した気管挿管用小型カメラ無線システムの使用方法として喉頭鏡を使用した概要を模式的に示す説明図である。
【図３】  本考案の一実施例を適用した気管挿管用小型カメラ無線システムの使用方法としてエアウェイ（鼻咽頭エアウェイ・口咽頭エアウェイ）を使用した概要を模式的に示す説明図である。
【図４】  本考案の一実施例を適用した気管挿管用小型カメラ無線システムの使用方法として気管挿管時に気管内チューブと組み合わせて使用した概要を模式的に示す説明図である。
【符号の説明】
【００３５】１０    喉頭鏡
１１    舌圧子
１２    小型撮影ユニット部
１３    グリップ部
１３ａ  コントロール出力部
１４    小型カメラ無線システム
１５    小型広角レンズ
１６    白色ＬＥＤ（光源）
１７    小型撮像素子（ＣＣＤカメラ）
１８    小型カメラコントロールユニット
１９    小型トランスミッター
２０    小型バッテリー
２０ａ  電源ケーブルライン
２１    電源スイッチ
２２    防水チューブ
２３    透明体の保護チューブ
２４    小型レシーバー
２５    ＴＶモニター
２６    ＴＶモニター表示画面
２７    白色照明
２８    観察映像
２９    映像信号
３０    電波信号
３１    電気信号線Ａ
３２    電気信号線Ｂ
３３    電気信号線Ｃ
３４    細い金属棒（又はプラステック製）
３５    エアウェイ（鼻咽頭エアウェイ・口咽頭エアウェイ）
３６    気管内チューブ
３７    人の舌
３８    喉頭内
【図１】
0003108837.tif 000003
【図２】
0003108837.tif 000004
【図３】
0003108837.tif 000005
【図４】
0003108837.tif 000006
【手続補正書】
【提出日】平成16年12月24日(2004.12.24)
【手続補正１】
【補正対象書類名】実用新案登録請求の範囲
【補正対象項目名】全文
【補正方法】変更
【補正の内容】
【実用新案登録請求の範囲】
【請求項１】
気管挿管および気管挿管前の気道管理に必要な喉頭鏡、気管チューブ、経鼻エアウェイ、経口エアウェイの先端部に小型レンズ及び小型光源を有し、前記小型光源で照射した喉頭内の映像を直接前記小型レンズ及び小型撮像素子でとらえるよう前記小型レンズの像面に前記小型撮像素子を設置し、前記小型撮像素子で前記喉頭内の映像を光電変換し、出力された映像信号を小型カメラコントロールユニットに電送して前記映像信号を増幅し、前記映像信号を信号ケーブルに通してＴＶモニターに出力し前記映像信号を表示するシステムを前記喉頭鏡、気管チューブ、経鼻エアウェイ、経口エアウェイから脱着可能な独立した１つの細長い小型カメラユニットシステムとして構成することを特徴とした気管挿管用小型カメラシステム。
【請求項２】
前記映像信号を小型トランスミッターにより前記映像信号を電波に変換してレシーバーに無線で出力してＴＶモニターに前記映像信号を表示するシステムを１つの細長い小型カメラユニットシステムに内蔵して構成することを特徴とした請求項１に記載の気管挿管用小型カメラシステム。
【請求項３】
前記小型光源、前記小型撮像素子、前記小型カメラコントロールユニット、前記小型トランスミッターの電源を確保するために前記小型カメラシステム内の後方部に小型バッテリーを内蔵する構成によりコードレス仕様と、操作性の向上を特徴とした請求項１、請求項２に記載の気管挿管用小型カメラシステム。
【請求項４】
前記小型レンズ、前記小型光源、前記小型撮像素子の構成部分を前記小型カメラシステムの先端部、１本の柔軟且つ細長い小型撮影ユニット部とし、前記小型カメラコントロールユニット、前記小型トランスミッター、前記小型バッテリー、電源スイッチの構成部分を前記小型カメラシステムの後方部、グリップ部とした一体型の前記小型カメラシステムとし、防水性をもたせて前記喉頭鏡、気管チューブ、経鼻エアウェイ、経口エアウェイより脱着することを特徴とした請求項３に記載の気管挿管用小型カメラシステム。
【請求項５】
前記小型カメラシステムを前記喉頭鏡、気管チューブ、経鼻エアウェイ、経口エアウェイに取り付けて喉頭内を観察する以前に、前記小型カメラシステム先端部にある前記１本の柔軟且つ細長い小型撮影ユニット部に対して、１本の細長く柔軟で且つ透明体の保護チューブをかぶせて前記喉頭鏡、気管チューブ、経鼻エアウェイ、経口エアウェイに装着して喉頭内を観察し、また観察後は前記保護チューブをはずして使い捨て仕様にすることを特徴とした請求項４に記載の気管挿管用小型カメラシステム。
【請求項６】
前記小型カメラシステムの防水チューブ内の形状を適度に変えられ且つ色々な形状に保つことができる細い金属又はプラステック製の棒を内蔵することを特徴とした請求項４、請求項５に記載の気管挿管用小型カメラシステム。